(57)【特許請求の範囲】
【請求項１】
屋外側壁、屋内側壁、底板とからなり、中央部の底板に下方に開口している竪樋取付部が設けられ、両端部に軒樋接続部が設けられた軒樋継手であって、前記中央部には屋外側壁の上部と屋内側壁の上部にそれぞれ軒樋吊り具の屋外側耳保持部と屋内側耳保持部をそれぞれ挿入させる窪みまたは通孔からなる屋外側係止部と屋内側係止部が設けられ、この屋外側係止部と屋内側係止部のどちらか一方には窪みまたは通孔の入口の両側縁から入口の中央方向に突出しているバネ片が設けられていることを特徴とする軒樋継手。
【発明の詳細な説明】
【０００１】
【発明の属する技術分野】
本発明は集水器等の如く中央部の底板に下方に開口している竪樋取付部が設けられ、両側部に軒樋接続部が設けられた軒樋継手に関する。
【０００２】
【従来の技術】
従来、特公平４−２０４６５号公報に記載あるように、集水器等の如く中央部に下方に開口している竪樋取付部が設けられ、両側部に軒樋接続が設けられた軒樋継手が知られている。
この軒樋継手を図５を参照しながら詳細に説明すると、軒樋継手１００の両端部には軒樋接続部１１０、１１０が設けられ、中央部の底板には下方に開口している竪樋取付部１２０が設けられている。そして、中央部の屋外側壁１０３、屋内側壁１０４の上端部にはそれぞれ屋外側係止部１０５、屋内側係止部１０６が設けられ、軒樋接続部１１０の屋外側壁１０３の上端部と屋内側壁１０４の上端部にはそれぞれリブ１０１、１０２が設けられている。
【０００３】
この軒樋継手１００は次に示すようにして使用する（図６参照）。
即ち、予め、軒樋吊り具２００を軒先４００に取り付ける。一方、軒樋継手１００の両端部の軒樋接続部１１０の内面に軒樋３００の外面を当接させ、リブ１０１、１０２で軒樋３００の屋外側上端と屋内側上端をそれぞれ押さえ付けて、軒樋継手１００で軒樋３００を接続する。このように接続すると、軒樋３００が夏冬等の温度差によって伸縮しても軒樋３００が軒樋接続部１１０を摺動して、この伸縮を吸収できるのである。そして、この軒樋継手１００の屋外側係止部１０５と屋内側係止部１０６を軒樋吊り具２００の屋外側耳保持部２０１と屋内側耳保持部２０２にそれぞれ係止させて、この軒樋継手１００を軒先４００に取り付ける。その後、竪樋取付部１２０に竪樋５００を取り付ける。
すると、軒樋継手１００が軒樋吊り具２００で吊り下げられているから、竪樋取付部１０２があって中央部分が重くなっていても軒樋継手１００部分が下がらないのである。
【０００４】
【発明が解決しようとする課題】
しかし、従来の軒樋吊り具で軒樋を吊り下げる場合には、通常、先ず、軒樋の屋外側耳を軒樋吊り具の屋外側耳保持部に係止し、その後、軒樋を屋内側に回転させて屋内側耳を軒樋吊り具の屋内側耳保持部に係止しているが、図５に示す軒樋継手１００では、軒樋を取り付けた軒樋継手１００は軒樋３００を取り付けられていて自由に取り扱い難いために、通常、見難い屋内側係止部１０６を先ず屋内側耳保持部２０２に係止させ、その後、屋外側耳係止部１０５を屋外側耳保持部２０１に係止させている。
それでも、軒樋３００が取り付けられている軒樋継手１００は取り扱い難いので、軒樋継手１００を軒樋吊り具２００に取り付け難かった。
そこで、本発明の目的は竪樋取付部が設けられた軒樋継手であって、軒樋吊り具に取り付け易い軒樋継手を提供するものである。
【０００５】
【課題を解決するための手段】
本発明は上記目的を達成するためになされたものであって、屋外側壁、屋内側壁、底板とからなり、中央部の底板に下方に開口している竪樋取付部が設けられ、両端部に軒樋接続部が設けられた軒樋継手であって、前記中央部には屋外側壁の上部と屋内側壁の上部にそれぞれ軒樋吊り具の屋外側耳保持部と屋内側耳保持部をそれぞれ挿入させる窪みまたは通孔からなる屋外側係止部と屋内側係止部が設けられ、この屋外側係止部と屋内側係止部のどちらか一方には窪みまたは通孔の入口の両側縁から入口の中央方向に突出しているバネ片が設けられているものである。
【０００６】
（作用）
本発明軒樋継手の作用を使用方法と共に説明する。
最初に、軒樋継手の屋外側係止部にバネ片が設けられている場合について説明する。
先ず、軒樋吊り具を軒先に取り付ける。又、軒樋継手の両端部の軒樋接続部に軒樋を取り付ける。
尚、この軒樋吊り具としては、屋外側耳保持部と屋内側耳保持部の先端が軒樋継手の屋外側係止部と屋内側係止部の窪みや通孔の中に挿入できるように突出し、且つ、この屋外側耳保持部の先端より若干根元側にバネ片が挿入できる窪みまたは通孔が設けられているものを使用する。
【０００７】
次に、この軒樋継手のバネ片のない屋内側係止部の窪みまたは通孔に軒樋吊り具の屋内側耳保持部を挿入して係止させる。
すると、本発明では軒樋継手の中央部の屋外側壁の上部と屋内側壁の上部にはそれぞれ軒樋吊り具の屋外側耳保持部と屋内側耳保持部を挿入させる窪みまたは通孔からなる屋外側耳保持部と屋内側耳保持部が設けられているから、屋内側係止部の窪みまたは通孔に屋内側耳保持部を挿入することができる。
【０００８】
次に、軒樋が取り付けられた軒樋継手を屋外方向に回転させて、軒樋継手の屋外側係止部の窪みまたは通孔を軒樋吊り具の屋外側耳保持部に押し付ける。
すると、本発明では屋外側係止部には窪みまたは通孔の入口の両側から入口の中央方向に突出しているバネ片が設けられているから、屋外側耳保持部がバネ片を奥方向に変形させながら屋外側係止部の中に入り、この屋外側耳保持部の先端部がバネ片より奥にはいると、バネ片を押していた力が無くなるからバネ片が弾性によって元の形状に戻り、屋外側耳保持部の先端より若干根元側に設けられている窪みまたは通孔の中にバネ片が入る。
【０００９】
その結果、このバネ片によって強固に屋外側係止部が軒樋吊り具の屋外側耳保持部に強固に取り付けられる。
以上説明したように、単に、屋内側係止部を屋内側耳保持部に係止させた後、屋外側係止部を屋外側耳保持部に押し込むだけで屋外側係止部が屋外側耳保持部に係止できるので軒樋継手を軒樋吊り具に極めて簡単に取り付けることができる。
【００１０】
次に、屋内側係止部にバネ片が設けられている場合について説明するが、この場合には、上記の屋外側係止部を屋内側係止部に、又、屋外側耳保持部を屋内側耳保持部に置き換えるだけでよい。
即ち、屋外側係止部を屋外側耳保持部に係止させた後、屋内側係止部を屋内側耳保持部の窪みまたは通孔に押し込むだけで、屋内側耳保持部の先端より若干根元側の窪みまたは通孔の中にバネ片が入って屋内側係止部が屋内側耳保持部に係止できる。従って、軒樋継手を軒樋吊り具に極めて簡単に取り付けることができる。
【００１１】
【発明の実施の形態】
次に、本発明の実施例を説明する。
図１〜図５は本発明の一実施例を示すもので、図１（イ）は軒樋継手の斜視図、（ロ）は屋外側係止部近傍を示す斜視図、（ハ）は屋内側係止部近傍を示す斜視図、図２（イ）は図１の軒樋継手を取り付ける軒樋吊り具を示す斜視図、（ロ）は屋内側耳保持部を拡大して示す斜視図、図３は軒樋継手を軒樋吊り具に取り付けている状態を示す説明図、図４（イ）は軒樋継手を軒樋吊り具に取り付けた状態を示す斜視図、（ロ）は上面図である。
【００１２】
７は軒樋であり、この軒樋は屋外側壁７１、屋内側壁７２、底板７３とからなり、屋外側壁７１の上端部には断面コ字形の屋外側耳７５が、又、屋内側壁７２の上端部には肉厚になされた屋内側耳７６がそれぞれ設けられている。８は鼻隠し板からなる軒先である。
【００１３】
１は軒樋継手であり、この軒樋継手１は、図１に示すように、屋外側壁１１と屋内側壁１２と底板１３からなる。そして、両端部には軒樋接続部２、２が設けられ、中央部の底板１３には通孔１９が設けられ、この通孔の下側に下方に突出している筒状の竪樋取付部３が設けられている。
そして、軒樋接続部２の屋外側壁１１の上端部には屋外側リブ２１が、又、屋内側壁１２の上端部には屋内側リブ２２がそれぞれ設けられ、屋外側壁１１から底板１３を経て屋内側壁１２の内面にはゴム製の止水材２４が設けられている。
【００１４】
このような構造になっているから、この軒樋接続部２の内面に軒樋７の接続する端部の外面を当接させ、軒樋７の屋外側上端と屋内側上端をそれぞれ屋外側リブ２１と屋内側リブ２２で押さえて取り付けると、軒樋接続部２に軒樋７が摺動自在に取り付けられると同時に止水材２４がある部分が水密に接続できる。従って、軒樋７が夏冬等の温度差によって伸縮すると、この軒樋接続部２と軒樋７との接続部分が摺動して伸縮を吸収することができる。
又、中央部の屋外側壁１１の上端部には屋外側係止部４が、又、屋内側壁１２の上端部１２には屋内側係止部５がそれぞれ設けられている。
【００１５】
屋外側係止部４は、図１（ロ）に示すように、屋外側壁１１の上端部の内側に突出したコ字形の壁４１が設けられ、この壁４１の内側面に四角の通孔４２が設けられている。そして、この通孔４２の入口の両側縁から入口中央方向に突出したバネ片４３、４３が設けられている。
屋内側係止部５は、図１（ハ）に示すように、屋内側壁１２の上端部の内側に突出したコ字形の壁５１が設けられ、この壁５１の内側面に３個の通孔５２、５２、５２が設けられている。
【００１６】
６は軒樋吊り具であり、この軒樋吊り具６は、図２に示すように、取付部６１と、この取付部６１の屋外側に突出して設けられた支持腕６２と、この支持腕６２の先端に設けられた屋外側耳保持部６３と、この屋外側耳保持部６３より屋内側に設けられた屋内側耳保持部６４とからなる。
取付部６１は屋内側の取付面が軒先に沿う形状の板体であって、この取付部６１はビスまたは釘で取り付け易いように通孔６１１が穿設されている。
支持腕６２は２本の水平杆６２１、６２２からなる。
【００１７】
屋外側耳保持部６３は支持腕６１の先端が軒樋継手１の屋外側係止部４の通孔４２の中に入る大きさに突出したものであり、その先端が丸く巻かれていて、この巻かれた中心には前記軒樋継手１の屋外側係止部５のバネ片４３が挿入できる通孔６３１が形成されている。
従って、この屋外側耳保持部６３を軒樋継手１の屋外側係止部４の通孔４２の中に押し付けると、屋外側耳保持部６３がバネ片４３を奥方向に変形させながら屋外側係止部４の中に入る。そして、屋外側耳保持部の先端部がバネ片４３より奥に入ると、バネ片４３を押していた力がなくなるからバネ片４３が弾性により元の状態に戻り、通孔６３１の中にバネ片４３が入って屋外側係止部４が強固に保持できるようになっている。
【００１８】
又、屋内側耳保持部６４は、支持腕６２から屋内側に突出した突出片６４１と、この突出片６４１の先端に設けられ、前記軒樋継手１の屋内側係止部５の３個の通孔５２、５２、５２に入れることができる３個の突起６４２、６４２、６４２からなる。
従って、この屋内側耳保持部６４の突起６４２を軒樋継手１の通孔５２に挿入し、軒樋継手１を引き寄せると、軒樋継手１の屋内側係止部５が抜けないように保持できるようになっている。
【００１９】
次に、この軒樋継手１の施工方法、使用方法および作用について説明する。
先ず、軒樋吊り具６の取付部６１を軒先８に当接させ、取付部６１の通孔６１１を通して軒先８に釘を打ち込んだりビスを螺入して軒樋吊り具６を取り付ける。
一方、軒樋継手１の両端部に設けられている軒樋接続部２にぞれぞれ軒樋７を入れ、屋外側耳７５を上からリブ２１で、又、屋内側耳７６を上からリブ２２で押さえ付けて、軒樋継手１で軒樋７を接続する。
すると、軒樋接続部２に軒樋７が摺動自在に取り付けられると同時に止水材２４が押し付けられて、この部分が水密に接続できる。しかも、軒樋７が夏冬等の温度差によって伸縮すると、この軒樋接続部２と軒樋７との接続部分が摺動して伸縮を吸収することができるように接続される。
【００２０】
次に、この軒樋継手１の屋内側係止部５の通孔５２の中に軒樋吊り具６の突起６４２を挿入して、軒樋継手１を手前に引き寄せながら、軒樋継手１の屋内側係止部５を軒樋吊り具６の屋内側耳保持部６４に係止させた後、軒樋継手１を屋外方向に回転させて、軒樋継手１の屋外側係止部４の通孔４２を軒樋吊り具６の屋外側耳保持部６４に押し付ける。すると、この屋外側耳保持部６３が通孔４２の入口の両側から入口の中心方向に突出しているバネ片４３を奥方向に変形させながら屋外側係止部４の中に入る。この屋外側耳保持部６４の先端部がバネ片４３より奥に入ると、バネ片４３を押していた力がなくなるからバネ片４３が弾性によって元の形状に戻り、通孔６３１の中にバネ片４３が入る。
すると、このバネ片４３によって強固に屋外側係止部５が軒樋吊り具６の屋外側耳保持部６３に強固に取り付けられる。
【００２１】
このように、単に、屋内側係止部５を屋内側耳保持部６４に係止させた後、屋外側係止部４を屋外側耳保持部６３に押し込むだけで屋外側係止部４が屋外側耳保持部６３に係止できるので軒樋継手１を軒樋吊り具６に極めて簡単に取り付けることができる。
【００２２】
【発明の効果】
本発明軒樋継手は屋外側壁と屋内側壁は吊り具の屋外側耳保持部と屋内側耳保持部をそれぞれ挿入させる窪みまたは通孔からなる屋外側係止部と屋内側係止部が設けられ、この屋外側係止部と屋内側係止部のどちらか一方には窪みまたは通孔の入口の両側縁から入口の中央方向に突出しているバネ片が設けられているから、例えば単に、バネ片のない屋内側係止部を屋内側耳保持部に係止させた後、バネ片のある屋外側係止部を屋外側耳保持部に押し込むだけで屋外側係止部が屋外側耳保持部に係止できるので軒樋継手を軒樋吊り具に極めて簡単に取り付けることができる。
【図面の簡単な説明】
【図１】本発明の一実施例を示すもので、（イ）は軒樋継手の斜視図、（ロ）は屋外側係止部近傍を示す斜視図、（ハ）は屋内側係止部近傍を示す斜視図である。
【図２】図１の軒樋継手を取り付ける軒樋吊り具を示す斜視図である。
【図３】軒樋継手を軒樋吊り具に取り付けている状態を示す説明図である。
【図４】（イ）は軒樋継手を軒樋吊り具に取り付けた状態を示す斜視図、（ロ）は上面説明図である。
【図５】従来の軒樋継手の斜視図である。
【図６】図５の軒樋継手の使用状態を示す垂直断面図である。
【符号の説明】
１                      軒樋継手
１１                    屋外側壁
１２                    屋内側壁
１３                    底板
２                      軒樋接続部
２１                    屋外側リブ
２２                    屋内側リブ
３                      竪樋取付部
４                      屋外側係止部
４２                    通孔
４３                    バネ片
５                      屋内側係止部
５２                    通孔
６                      軒樋吊り具
６２                    支持腕
６３                    屋外側耳保持部
６３１                  通孔
６４                    屋内側耳保持部
７                      軒樋
８                      軒先
【図１】
0003626271.tif 000002
【図２】
0003626271.tif 000003
【図３】
0003626271.tif 000004
【図４】
0003626271.tif 000005
【図５】
0003626271.tif 000006
【図６】
0003626271.tif 000007